(57)【要約】  基準信号の送信または受信方法およびシステム、端末デバイス、およびアクセスネットワークデバイスが提供される。当該方法は、第１デバイスが、第２デバイスに第１制御情報を送信する段階であって、前記第１制御情報は、第１デバイスが基準信号を送信するのに用いられる第１リソースを示すために用いられる、送信する段階と、第１デバイスが、第１リソースで、基準信号を第２デバイスに送信する段階とを含む。前記基準信号の伝送リソースはそれ以上固定されておらず、伝送リソースの個数、前記伝送リソースの位置等が、前記端末デバイスの速度などの要因に基づいて決定され得る。例えば、速度が低い場合、比較的少ない個数のリソースが、基準信号を送信するために構成され得る。加えて、基準信号の伝送リソースは、基準信号の送信の柔軟性を向上させるべく、第１制御情報により示されている。
2020510333.tif 000002
【特許請求の範囲】
【請求項１】
基準信号の送信方法であって、
第１デバイスが、第２デバイスに第１制御情報を送信する段階であって、前記第１制御情報は、前記第１デバイスが基準信号を送信するのに用いられる第１リソースを示すために用いられる、送信する段階と、
前記第１デバイスが、前記第１リソースで、前記基準信号を前記第２デバイスに送信する段階と
を備える、方法。
【請求項２】
前記第１リソースは、第１時間−周波数リソースを含み、前記第１デバイスが前記第１リソースで前記第２デバイスに前記基準信号を送信する前記段階は、
前記第１デバイスが、前記第１時間−周波数リソースで、前記第２デバイスに前記基準信号を送信する段階を含む、または
前記第１リソースは第１時間領域リソースを含み、前記第１デバイスが前記第１リソースで前記第２デバイスに前記基準信号を送信する前記段階は、
前記第１デバイスが、前記第１時間領域リソースおよび予め定義された周波数領域リソースを含む時間−周波数リソースで、前記第２デバイスに前記基準信号を送信する段階を含む、または
前記第１リソースは第１周波数領域リソースを含み、前記第１デバイスが、前記第１リソースで前記第２デバイスに前記基準信号を送信する前記段階は、
前記第１デバイスが、前記第１周波数領域リソースおよび予め定義された時間領域リソースを含む時間−周波数リソースで、前記第２デバイスに前記基準信号を送信する段階を含む、
請求項１に記載の方法。
【請求項３】
前記第１デバイスはアクセスネットワークデバイスを含み、前記第２デバイスは端末デバイスを含む、請求項１または２に記載の方法。
【請求項４】
前記第１制御情報は、ダウンリンク制御情報に含まれる、
請求項３に記載の方法。
【請求項５】
前記第１デバイスは第１端末デバイスを含み、前記第２デバイスは第２端末デバイスを含む、請求項１または２に記載の方法。
【請求項６】
前記第１制御情報は、サイドリンク制御情報に含まれる、
請求項５に記載の方法。
【請求項７】
前記第１制御情報は、アクセスネットワークデバイスから前記第１端末デバイスにより受信される、
請求項５または６に記載の方法。
【請求項８】
基準信号の受信方法であって、
第２デバイスが第１デバイスから第１制御情報を受信する段階であって、前記第１制御情報は、前記第１デバイスが基準信号を送信するのに用いられる第１リソースを示すために用いられる、受信する段階と、
前記第２デバイスが、前記第１リソースで、前記第１デバイスから前記基準信号を受信する段階と
を備える、方法。
【請求項９】
前記第１リソースは、第１時間−周波数リソースを含み、前記第２デバイスが、前記第１リソースで前記第１デバイスから前記基準信号を受信する前記段階は、
前記第２デバイスが、前記第１時間−周波数リソースで、前記第１デバイスから前記基準信号を受信する段階を含む、または
前記第１リソースは第１時間領域リソースを含み、前記第２デバイスが、前記第１リソースで前記第１デバイスから前記基準信号を受信する前記段階は、
前記第２デバイスが、前記第１時間領域リソースおよび予め定義された周波数領域リソースを含む時間−周波数リソースで、前記第１デバイスから前記基準信号を受信する段階を含む、または
前記第１リソースは第１周波数領域リソースを含み、前記第２デバイスが、前記第１リソースで前記第１デバイスから前記基準信号を受信する前記段階は、
前記第２デバイスが、前記第１周波数領域リソースおよび予め定義された時間領域リソースを含む時間−周波数リソースで、前記第１デバイスから、前記基準信号を受信する段階を含む、
請求項８に記載の方法。
【請求項１０】
前記第１デバイスはアクセスネットワークデバイスを含み、前記第２デバイスは端末デバイスを含む、請求項８または９に記載の方法。
【請求項１１】
前記第１制御情報は、ダウンリンク制御情報に含まれる、
請求項１０に記載の方法。
【請求項１２】
前記第１デバイスは第１端末デバイスを含み、前記第２デバイスは第２端末デバイスを含む、請求項８または９に記載の方法。
【請求項１３】
前記第１制御情報は、サイドリンク制御情報に含まれる、
請求項１２に記載の方法。
【請求項１４】
前記第１制御情報は、アクセスネットワークデバイスから前記第１端末デバイスにより受信される、
請求項１２または１３に記載の方法。
【請求項１５】
第１デバイスであって、
第１制御情報を第２デバイスに送信するように構成されている送信ユニットであって、前記第１制御情報は、前記第１デバイスが基準信号を送信するのに用いられる第１リソースを示すために用いられる、送信ユニット
を備え、
前記送信ユニットはさらに、前記第１リソースで前記第２デバイスに前記基準信号を送信するように構成されている、第１デバイス。
【請求項１６】
前記第１リソースは、第１時間−周波数リソースを含み、前記送信ユニットがさらに、前記第１リソースで前記第２デバイスに前記基準信号を送信するように構成されていることは、
前記送信ユニットが、前記第１時間−周波数リソースで前記第２デバイスに前記基準信号を送信することを含む、または
前記第１リソースは第１時間領域リソースを含み、前記送信ユニットがさらに、前記第１リソースで前記第２デバイスに前記基準信号を送信するように構成されていることは、
前記送信ユニットが、前記第１時間領域リソースおよび予め定義された周波数領域リソースを含む時間−周波数リソースで、前記第２デバイスに前記基準信号を送信することを含む、または
前記第１リソースは第１周波数領域リソースを含み、前記送信ユニットがさらに、前記第１リソースで前記第２デバイスに前記基準信号を送信するように構成されていることは、
前記送信ユニットが、前記第１周波数領域リソースおよび予め定義された時間領域リソースを含む時間−周波数リソースで、前記第２デバイスに前記基準信号を送信することを含む、
請求項１５に記載の第１デバイス。
【請求項１７】
前記第１デバイスはアクセスネットワークデバイスを含み、前記第２デバイスは端末デバイスを含む、請求項１５または１６に記載の第１デバイス。
【請求項１８】
前記第１制御情報は、ダウンリンク制御情報に含まれる、
請求項１７に記載の第１デバイス。
【請求項１９】
前記第１デバイスは第１端末デバイスを含み、前記第２デバイスは第２端末デバイスを含む、請求項１５または１６に記載の第１デバイス。
【請求項２０】
前記第１制御情報は、サイドリンク制御情報に含まれる、
請求項１９に記載の第１デバイス。
【請求項２１】
前記第１デバイスはさらに受信ユニットを備え、前記第１制御情報は、アクセスネットワークデバイスから前記受信ユニットにより受信される、請求項１９または２０に記載の第１デバイス。
【請求項２２】
第１制御情報を第１デバイスから受信するように構成されている受信ユニットであって、前記第１制御情報は、前記第１デバイスが基準信号を送信するのに用いられる第１リソースを示すために用いられる、受信ユニット
を備え、
前記受信ユニットはさらに、前記第１リソースで前記第１デバイスから前記基準信号を受信するように構成されている、第２デバイス。
【請求項２３】
前記第１リソースは、第１時間−周波数リソースを含み、前記受信ユニットがさらに、前記第１リソースで前記第１デバイスから前記基準信号を受信するように構成されていることは、
前記受信ユニットが、前記第１時間−周波数リソースで、前記第１デバイスから前記基準信号を受信することを含む、または
前記第１リソースは第１時間領域リソースを含み、前記受信ユニットがさらに、前記第１リソースで前記第１デバイスから前記基準信号を受信するように構成されていることは、
前記受信ユニットが、前記第１時間領域リソースおよび予め定義された周波数領域リソースを含む時間−周波数リソースで、前記第１デバイスから前記基準信号を受信することを含む、または
前記第１リソースは第１周波数領域リソースを含み、前記受信ユニットがさらに、前記第１リソースで前記第１デバイスから前記基準信号を受信するように構成されていることは、
前記受信ユニットが、前記第１周波数領域リソースおよび予め定義された時間領域リソースを含む時間−周波数リソースで、前記第１デバイスから、前記基準信号を受信することを含む、
請求項２２に記載の第２デバイス。
【請求項２４】
前記第１デバイスはアクセスネットワークデバイスを含み、前記第２デバイスは端末デバイスを含む、請求項２２または２３に記載の第２デバイス。
【請求項２５】
前記第１制御情報は、ダウンリンク制御情報に含まれる、
請求項２４に記載の第２デバイス。
【請求項２６】
前記第１デバイスは第１端末デバイスを含み、前記第２デバイスは第２端末デバイスを含む、請求項２２または２３に記載の第２デバイス。
【請求項２７】
前記第１制御情報は、サイドリンク制御情報に含まれる、
請求項２６に記載の第２デバイス。
【請求項２８】
前記第１制御情報は、アクセスネットワークデバイスから前記第１端末デバイスにより受信される、
請求項２６または２７に記載の第２デバイス。
【請求項２９】
基準信号の送信方法であって、
端末デバイスが、アクセスネットワークデバイスから第１制御情報を受信する段階であって、前記第１制御情報は、前記端末デバイスが基準信号を送信するのに用いられる第１リソースを示すために用いられる、受信する段階と、
前記端末デバイスが、前記第１リソースで、前記基準信号を前記アクセスネットワークデバイスに送信する段階と
を備える、方法。
【請求項３０】
前記第１リソースは、第１時間−周波数リソースを含み、前記端末デバイスが前記第１リソースで前記アクセスネットワークデバイスに前記基準信号を送信する前記段階は、
前記端末デバイスが、前記第１時間−周波数リソースで、前記アクセスネットワークデバイスに前記基準信号を送信する段階を含む、または
前記第１リソースは第１時間領域リソースを含み、前記端末デバイスが前記第１リソースで前記アクセスネットワークデバイスに前記基準信号を送信する前記段階は、
前記端末デバイスが、前記第１時間領域リソースおよび予め定義された周波数領域リソースを含む時間−周波数リソースで、前記アクセスネットワークデバイスに前記基準信号を送信する段階を含む、または
前記第１リソースは第１周波数領域リソースを含み、前記端末デバイスが、前記第１リソースで前記アクセスネットワークデバイスに前記基準信号を送信する前記段階は、
前記端末デバイスが、前記第１周波数領域リソースおよび予め定義された時間領域リソースを含む時間−周波数リソースで、前記アクセスネットワークデバイスに前記基準信号を送信する段階を含む、
請求項２９に記載の方法。
【請求項３１】
前記第１制御情報は、ダウンリンク制御情報に含まれる、
請求項２９または３０に記載の方法。
【請求項３２】
基準信号の受信方法であって、
アクセスネットワークデバイスが、端末デバイスに第１制御情報を送信する段階であって、前記第１制御情報は、前記端末デバイスが基準信号を送信するのに用いられる第１リソースを示すために用いられる、送信する段階と、
前記アクセスネットワークデバイスが、前記第１リソースで、前記基準信号を前記端末デバイスから受信する段階と
を備える、方法。
【請求項３３】
前記第１リソースは、第１時間−周波数リソースを含み、前記アクセスネットワークデバイスが、前記第１リソースで前記端末デバイスから前記基準信号を受信する前記段階は、
前記アクセスネットワークデバイスが、前記第１時間−周波数リソースで、前記端末デバイスから前記基準信号を受信する段階を含む、または
前記第１リソースは第１時間領域リソースを含み、前記アクセスネットワークデバイスが、前記第１リソースで前記端末デバイスから前記基準信号を受信する前記段階は、
前記アクセスネットワークデバイスが、前記第１時間領域リソースおよび予め定義された周波数領域リソースを含む時間−周波数リソースで、前記端末デバイスから前記基準信号を受信する段階を含む、または
前記第１リソースは第１周波数領域リソースを含み、前記アクセスネットワークデバイスが、前記第１リソースで前記端末デバイスから前記基準信号を受信する前記段階は、
前記アクセスネットワークデバイスが、前記第１周波数領域リソースおよび予め定義された時間領域リソースを含む時間−周波数リソースで、前記端末デバイスから、前記基準信号を受信する段階を含む、
請求項３２に記載の方法。
【請求項３４】
前記第１制御情報は、ダウンリンク制御情報に含まれる、
請求項３２または３３に記載の方法。
【請求項３５】
端末デバイスであって、
第１制御情報をアクセスネットワークデバイスから受信するように構成されている受信ユニットであって、前記第１制御情報は、前記端末デバイスが基準信号を送信するのに用いられる第１リソースを示すために用いられる、受信ユニットと
前記第１リソースで前記アクセスネットワークデバイスに前記基準信号を送信するように構成されている、送信ユニットとを備える、端末デバイス。
【請求項３６】
前記第１リソースは、第１時間−周波数リソースを含み、前記送信ユニットが、前記第１リソースで前記アクセスネットワークデバイスに前記基準信号を送信するように構成されていることは、
前記送信ユニットが、前記第１時間−周波数リソースで、前記アクセスネットワークデバイスに前記基準信号を送信することを含む、または
前記第１リソースは第１時間領域リソースを含み、前記送信ユニットが、前記第１リソースで前記アクセスネットワークデバイスに前記基準信号を送信するように構成されていることは、
前記送信ユニットが、前記第１時間領域リソースおよび予め定義された周波数領域リソースを含む時間−周波数リソースで、前記アクセスネットワークデバイスに前記基準信号を送信することを含む、または
前記第１リソースは第１周波数領域リソースを含み、前記送信ユニットが、前記第１リソースで前記アクセスネットワークデバイスに前記基準信号を送信するように構成されていることは、
前記送信ユニットが、前記第１周波数領域リソースおよび予め定義された時間領域リソースを含む時間−周波数リソースで、前記アクセスネットワークデバイスに前記基準信号を送信することを含む、
請求項３５に記載の端末デバイス。
【請求項３７】
前記第１制御情報は、ダウンリンク制御情報に含まれる、
請求項３５または３６に記載の端末デバイス。
【請求項３８】
第１制御情報を端末デバイスに送信するように構成されている送信ユニットであって、前記第１制御情報は、前記端末デバイスが基準信号を送信するのに用いられる第１リソースを示すために用いられる送信ユニットと、
前記第１リソースで前記端末デバイスから前記基準信号を受信するように構成されている受信ユニットと
を備える、アクセスネットワークデバイス。
【請求項３９】
前記第１リソースは、第１時間−周波数リソースを含み、前記受信ユニットが、前記第１リソースで前記端末デバイスから前記基準信号を受信するように構成されていることは、
前記受信ユニットが、前記第１時間−周波数リソースで、前記端末デバイスから前記基準信号を受信することを含む、または
前記第１リソースは第１時間領域リソースを含み、前記受信ユニットが、前記第１リソースで前記端末デバイスから前記基準信号を受信するように構成されていることは、
前記受信ユニットが、前記第１時間領域リソースおよび予め定義された周波数領域リソースを含む時間−周波数リソースで、前記端末デバイスから前記基準信号を受信することを含む、または
前記第１リソースは第１周波数領域リソースを含み、前記受信ユニットが、前記第１リソースで前記端末デバイスから前記基準信号を受信するように構成されていることは、
前記受信ユニットが、前記第１周波数領域リソースおよび予め定義された時間領域リソースを含む時間−周波数リソースで、前記端末デバイスから、前記基準信号を受信することを含む、
請求項３８に記載のアクセスネットワークデバイス。
【請求項４０】
前記第１制御情報は、ダウンリンク制御情報に含まれる、
請求項３８または３９に記載のアクセスネットワークデバイス。
【発明の詳細な説明】
【技術分野】
【０００１】
本願は、２０１７年３月３１日に中国特許庁に出願された「ＲＥＦＥＲＥＮＣＥ  ＳＩＧＮＡＬ  ＳＥＮＤＩＮＧ  ＭＥＴＨＯＤ，ＴＥＲＭＩＮＡＬ  ＤＥＶＩＣＥ  ＡＮＤ  ＡＣＣＥＳＳ  ＮＥＴＷＯＲＫ  ＤＥＶＩＣＥ」と題する中国特許出願第２０１７１０２１０７７５．５号に基づく優先権を主張するものであり、当該特許出願はその全体が参照により本明細書に組み込まれる。
【０００２】
本願の実施形態は、通信システム、特に基準信号の送信方法、端末デバイス、およびアクセスネットワークデバイスに関する。
【背景技術】
【０００３】
アクセスネットワークデバイスまたは端末デバイスは、時間−周波数リソース範囲に含まれる基準信号を用いて、チャネルを推定する。ダウンリンクの場合、端末デバイスは、チャネル推定のために、アクセスネットワークデバイスから基準信号を受信する。アップリンクの場合、アクセスネットワークデバイスは、チャネル推定のために、端末デバイスから基準信号を受信する。サイドリンクの場合、端末デバイスは、チャネル推定のために別の端末デバイスから基準信号を受信する。
【０００４】
デバイスツーデバイス（Ｄｅｖｉｃｅ  ｔｏ  Ｄｅｖｉｃｅ、Ｄ２Ｄ）通信、ビークルツービークル（Ｖｅｈｉｃｌｅ  ｔｏ  Ｖｅｈｉｃｌｅ、Ｖ２Ｖ）通信、ビークルツーペデストリアンＶ２Ｐ（Ｖｅｈｉｃｌｅ  ｔｏ  Ｐｅｄｅｓｔｒｉａｎ、Ｖ２Ｐ）通信、またはビークルツーインフラストラクチャ／ネットワークＶ２Ｉ／Ｎ（Ｖｅｈｉｃｌｅ  ｔｏ  Ｉｎｆｒａｓｔｒｕｃｔｕｒｅ／Ｎｅｔｗｏｒｋ、Ｖ２Ｉ／Ｎ）通信は、端末デバイス（ｔｅｒｍｉｎａｌ  ｄｅｖｉｃｅ）が互いに直接通信する技術である。Ｖ２Ｖ、Ｖ２Ｐ、およびＶ２Ｉ／Ｎは、まとめてＶ２Ｘと呼ばれる。換言すると、車両とあらゆるものとの間の通信である。
【０００５】
図１に示されるように、Ｖ２Ｘ通信は一例として用いられる。車両が最も高い速度で走行する場合であっても、基準信号を用いてチャネル推定の達成ができるように、データの送信のためのサブフレームのうちの１つは、２つのスロットを含む。合計１４つのシンボルがあり、そのうち固定されている４つのシンボルが、基準信号の伝送のために用いられる。具体的に、データに割り当てられたリソースにおいては、４つのシンボルの全の周波数領域リソースが基準信号の伝送に用いられる。車両の速度が比較的低い場合、このような既存の基準信号方式で、比較的多数のシンボルが占有され、結果的にリソースが無駄になる。加えて、固定された４つのシンボルを占有することにより基準信号を送信する既存の方法は、柔軟性に欠ける。
【０００６】
したがって、基準信号を送信するための、リソースを節約し、高度に柔軟な技術的解決手段が業界において緊急に必要である。
【発明の概要】
【０００７】
本願の実施形態は、基準信号送信の柔軟性を向上しリソースを節約するために、基準信号の送信方法、端末デバイス、およびアクセスネットワークデバイスを提供する。
【０００８】
第１の態様によると、基準信号の送信方法が提供される。本方法は、第１デバイスが、第２デバイスに第１制御情報を送信する段階であって、第１制御情報は、第１デバイスが基準信号を送信するのに用いられる第１リソースを示すために用いられる、送信する段階と、第１デバイスが、第１リソースで、第２デバイスに基準信号を送信する段階とを含む。
【０００９】
実行可能な設計例において、第１リソースは、第１時間−周波数リソースを含み、第１デバイスが第１リソースで第２デバイスに基準信号を送信する段階は、第１デバイスが、第１時間−周波数リソースで第２デバイスに基準信号を送信する段階を含む。
【００１０】
実行可能な設計例において、第１リソースは第１時間領域リソースを含み、第１デバイスが第１リソースで第２デバイスに基準信号を送信する段階は、第１デバイスが、第１時間領域リソースおよび予め定義された周波数領域リソースを含む時間−周波数リソースで第２デバイスに基準信号を送信する段階を含む、または、第１リソースは第１周波数領域リソースを含み、第１デバイスが第１リソースで第２デバイスに基準信号を送信する段階は、第１デバイスが、第１周波数領域リソースおよび予め定義された時間領域リソースを含む時間−周波数リソースで第２デバイスに基準信号を送信する段階を含む。
【００１１】
実行可能な設計例において、第１デバイスはアクセスネットワークデバイスを含み、第２デバイスは端末デバイスを含む。
【００１２】
実行可能な設計例において、第１制御情報はダウンリンク制御情報に含まれる。
【００１３】
実行可能な設計例において、第１デバイスは第１端末デバイスを含み、第２デバイスは第２端末デバイスを含む。
【００１４】
実行可能な設計例において、第１制御情報はサイドリンク制御情報に含まれる。
【００１５】
実行可能な設計例において、第１制御情報は、アクセスネットワークデバイスから第１端末デバイスにより受信される。
【００１６】
第２の態様によると、第２デバイスが第１デバイスから第１制御情報を受信する段階であって、第１制御情報は、第１デバイスが基準信号を送信するのに用いられる第１リソースを示すために用いられる、受信する段階と、第２デバイスが、第１リソースで、第１デバイスから基準信号を受信する段階とを含む、基準信号の受信方法が提供される。
【００１７】
実行可能な設計例において、第１リソースは第１時間−周波数リソースを含み、第２デバイスが第１リソースで第１デバイスから基準信号を受信する段階は、第２デバイスが、第１時間−周波数リソースで第１デバイスから基準信号を受信する段階を含む。
【００１８】
実行可能な設計例において、第１リソースは第１時間領域リソースを含み、第２デバイスが第１リソースで第１デバイスから基準信号を受信する段階は、第２デバイスが、第１時間領域リソースおよび予め定義された周波数領域リソースを含む時間−周波数リソースで第１デバイスから基準信号を受信する段階を含む、または、第１リソースは第１周波数領域リソースを含み、第２デバイスが第１リソースで第１デバイスから基準信号を受信する段階は、第２デバイスが、第１周波数領域リソースおよび予め定義された時間領域リソースを含む時間−周波数リソースで第１デバイスから基準信号を受信する段階を含む。
【００１９】
実行可能な設計例において、第１デバイスはアクセスネットワークデバイスを含み、第２デバイスは端末デバイスを含む。
【００２０】
実行可能な設計例において、第１制御情報はダウンリンク制御情報に含まれる。
【００２１】
実行可能な設計例において、第１デバイスは第１端末デバイスを含み、第２デバイスは第２端末デバイスを含む。
【００２２】
実行可能な設計例において、第１制御情報はサイドリンク制御情報に含まれる。
【００２３】
実行可能な設計例において、第１制御情報は、アクセスネットワークデバイスから第１端末デバイスにより受信される。
【００２４】
第３の態様によると、第１制御情報を第２デバイスに送信するように構成されている送信ユニットであって、第１制御情報は、第１デバイスが基準信号を送信するのに用いられる第１リソースを示すために用いられる、送信ユニットを含み、当該送信ユニットはさらに、第１リソースで第２デバイスに基準信号を送信するように構成されている、第１デバイスが提供される。
【００２５】
実行可能な設計例において、第１リソースは、第１時間−周波数リソースを含み、送信ユニットがさらに、第１リソースで第２デバイスに基準信号を送信するように構成されていることは、送信ユニットが、第１時間−周波数リソースで、第２デバイスに基準信号を送信することを含む。
【００２６】
実行可能な設計例において、第１リソースは第１時間領域リソースを含み、送信ユニットがさらに、第１リソースで第２デバイスに基準信号を送信するように構成されていることは、送信ユニットが、第１時間領域リソースおよび予め定義された周波数領域リソースを含む時間−周波数リソースで、第２デバイスに基準信号を送信することを含む、または、第１リソースは第１周波数領域リソースを含み、送信ユニットがさらに、第１リソースで第２デバイスに基準信号を送信するように構成されていることは、送信ユニットが、第１周波数領域リソースおよび予め定義された時間領域リソースを含む時間−周波数リソースで、第２デバイスに基準信号を送信することを含む。
【００２７】
実行可能な設計例において、第１デバイスはアクセスネットワークデバイスを含み、第２デバイスは端末デバイスを含む。
【００２８】
実行可能な設計例において、第１制御情報はダウンリンク制御情報に含まれる。
【００２９】
実行可能な設計例において、第１デバイスは第１端末デバイスを含み、第２デバイスは第２端末デバイスを含む。
【００３０】
実行可能な設計例において、第１制御情報はサイドリンク制御情報に含まれる。
【００３１】
実行可能な設計例において、第１デバイスはさらに受信ユニットを含み、第１制御情報はアクセスネットワークデバイスから当該受信ユニットにより受信される。
【００３２】
実行可能な設計例において、処理ユニットはプロセッサ（ｐｒｏｃｅｓｓｏｒ）であってよく、送信ユニットは伝送機（ｔｒａｎｓｍｉｔｔｅｒ）であってもまたは送受信機（ｔｒａｎｓｃｅｉｖｅｒ）であってもよく、受信ユニットは受信機（ｒｅｃｅｉｖｅｒ）であってもまたは送受信機であってもよい。
【００３３】
第４態様によると、第１制御情報を第１デバイスから受信するように構成されている受信ユニットであって、第１制御情報は、第１デバイスが基準信号を送信するのに用いられる第１リソースを示すために用いられる、受信ユニットを含み、当該受信ユニットはさらに、第１リソースで第１デバイスから基準信号を受信するように構成されている、第２デバイスが提供される。
【００３４】
実行可能な設計例において、第１リソースは、第１時間−周波数リソースを含み、受信ユニットがさらに、第１リソースで第１デバイスから基準信号を受信するように構成されていることは、受信ユニットが、第１時間−周波数リソースで、第１デバイスから基準信号を受信することを含む。
【００３５】
実行可能な設計例において、第１リソースは第１時間領域リソースを含み、受信ユニットがさらに、第１リソースで第１デバイスから基準信号を受信するように構成されていることは、受信ユニットが、第１時間領域リソースおよび予め定義された周波数領域リソースを含む時間−周波数リソースで、第１デバイスから基準信号を受信することを含む、または、第１リソースは第１周波数領域リソースを含み、受信ユニットがさらに、第１リソースで第１デバイスから基準信号を受信するように構成されていることは、受信ユニットが、第１周波数領域リソースおよび予め定義された時間領域リソースを含む、時間−周波数リソースで、第１デバイスから基準信号を受信することを含む。
【００３６】
実行可能な設計例において、第１デバイスはアクセスネットワークデバイスを含み、第２デバイスは端末デバイスを含む。
【００３７】
実行可能な設計例において、第１制御情報はダウンリンク制御情報に含まれる。
【００３８】
実行可能な設計例において、第１デバイスは第１端末デバイスを含み、第２デバイスは第２端末デバイスを含む。
【００３９】
実行可能な設計例において、第１制御情報はサイドリンク制御情報に含まれる。
【００４０】
実行可能な設計例において、第１制御情報は、アクセスネットワークデバイスから第１端末デバイスにより受信される。
【００４１】
実行可能な設計例において、処理ユニットはプロセッサ（ｐｒｏｃｅｓｓｏｒ）であってよく、送信ユニットは伝送機（ｔｒａｎｓｍｉｔｔｅｒ）であってもまたは送受信機（ｔｒａｎｓｃｅｉｖｅｒ）であってもよく、受信ユニットは受信機（ｒｅｃｅｉｖｅｒ）であってもまたは送受信機であってもよい。
【００４２】
第５の態様によると、端末デバイスが、アクセスネットワークデバイスから第１制御情報を受信する段階であって、第１制御情報は、端末デバイスが基準信号を送信するのに用いられる第１リソースを示すために用いられる、受信する段階と、端末デバイスが、第１リソースで、基準信号をアクセスネットワークデバイスに送信する段階とを含む、基準信号の送信方法が提供される。
【００４３】
実行可能な設計例において、第１リソースは、第１時間−周波数リソースを含み、端末デバイスが第１リソースでアクセスネットワークデバイスに基準信号を送信する段階は、端末デバイスが、第１時間−周波数リソースでアクセスネットワークデバイスに基準信号を送信する段階を含む。
【００４４】
実行可能な設計例において、第１リソースは第１時間領域リソースを含み、端末デバイスが第１リソースでアクセスネットワークデバイスに基準信号を送信する段階は、端末デバイスが、第１時間領域リソースおよび予め定義された周波数領域リソースを含む時間−周波数リソースでアクセスネットワークデバイスに基準信号を送信する段階を含む、または、第１リソースは第１周波数領域リソースを含み、端末デバイスが第１リソースでアクセスネットワークデバイスに基準信号を送信する段階は、端末デバイスが、第１周波数領域リソースおよび予め定義された時間領域リソースを含む時間−周波数リソースでアクセスネットワークデバイスに基準信号を送信する段階を含む。
【００４５】
実行可能な設計例において、第１制御情報はダウンリンク制御情報に含まれる。
【００４６】
第６の態様によると、アクセスネットワークデバイスが、端末デバイスに第１制御情報を送信する段階であって、第１制御情報は、端末デバイスが基準信号を送信するのに用いられる第１リソースを示すために用いられる、送信する段階と、アクセスネットワークデバイスが、第１リソースで、基準信号を端末デバイスから受信する段階とを含む、基準信号の受信方法が提供される。
【００４７】
実行可能な設計例において、第１リソースは第１時間−周波数リソースを含み、アクセスネットワークデバイスが第１リソースで端末デバイスから基準信号を受信する段階は、アクセスネットワークデバイスが、第１時間−周波数リソースで端末デバイスから基準信号を受信する段階を含む。
【００４８】
実行可能な設計例において、第１リソースは第１時間領域リソースを含み、アクセスネットワークデバイスが第１リソースで端末デバイスから基準信号を受信する段階は、アクセスネットワークデバイスが、第１時間領域リソースおよび予め定義された周波数領域リソースを含む時間−周波数リソースで端末デバイスから基準信号を受信する段階を含む、または、第１リソースは第１周波数領域リソースを含み、アクセスネットワークデバイスが第１リソースで端末デバイスから基準信号を受信する段階は、アクセスネットワークデバイスが、第１周波数領域リソースおよび予め定義された時間領域リソースを含む時間−周波数リソースで端末デバイスから基準信号を受信する段階を含む。
【００４９】
実行可能な設計例において、第１制御情報はダウンリンク制御情報に含まれる。
【００５０】
第７の態様によると、第１制御情報をアクセスネットワークデバイスから受信するように構成されている受信ユニットであって、第１制御情報は、端末デバイスが基準信号を送信するのに用いられる第１リソースを示すために用いられる、受信ユニットと、第１リソースでアクセスネットワークデバイスに基準信号を送信するように構成されている、送信ユニットとを含む、端末デバイスが提供される。
【００５１】
実行可能な設計例において、第１リソースは、第１時間−周波数リソースを含み、送信ユニットが、第１リソースでアクセスネットワークデバイスに基準信号を送信するように構成されていることは、送信ユニットが、第１時間−周波数リソースで、アクセスネットワークデバイスに基準信号を送信することを含む。
【００５２】
実行可能な設計例において、第１リソースは第１時間領域リソースを含み、送信ユニットが、第１リソースでアクセスネットワークデバイスに基準信号を送信するように構成されていることは、送信ユニットが、第１時間領域リソースおよび予め定義された周波数領域リソースを含む時間−周波数リソースで、アクセスネットワークデバイスに基準信号を送信することを含む、または、第１リソースは第１周波数領域リソースを含み、送信ユニットが、第１リソースでアクセスネットワークデバイスに基準信号を送信するように構成されていることは、送信ユニットが、第１周波数領域リソースおよび予め定義された時間領域リソースを含む、時間−周波数リソースで、アクセスネットワークデバイスに基準信号を送信することを含む。
【００５３】
実行可能な設計例において、第１制御情報はダウンリンク制御情報に含まれる。
【００５４】
実行可能な設計例において、処理ユニットはプロセッサ（ｐｒｏｃｅｓｓｏｒ）であってよく、送信ユニットは伝送機（ｔｒａｎｓｍｉｔｔｅｒ）であってもまたは送受信機（ｔｒａｎｓｃｅｉｖｅｒ）であってもよく、受信ユニットは受信機（ｒｅｃｅｉｖｅｒ）であってもまたは送受信機であってもよい。
【００５５】
第８の態様によると、第１制御情報を端末デバイスに送信するように構成されている送信ユニットであって、第１制御情報は、端末デバイスが基準信号を送信するのに用いられる第１リソースを示すために用いられる、送信ユニットと、第１リソースで端末デバイスから基準信号を受信するように構成されている受信ユニットとを含む、アクセスネットワークデバイスが提供される。
【００５６】
実行可能な設計例において、第１リソースは、第１時間−周波数リソースを含み、受信ユニットが、第１リソースで端末デバイスから基準信号を受信するように構成されていることは、受信ユニットが、第１時間−周波数リソースで、端末デバイスから基準信号を受信することを含む。
【００５７】
実行可能な設計例において、第１リソースは第１時間領域リソースを含み、受信ユニットが、第１リソースで端末デバイスから基準信号を受信するように構成されていることは、受信ユニットが、第１時間領域リソースおよび予め定義された周波数領域リソースを含む時間−周波数リソースで、端末デバイスから基準信号を受信することを含む、または、第１リソースは第１周波数領域リソースを含み、受信ユニットが、第１リソースで端末デバイスから基準信号を受信するように構成されていることは、受信ユニットが、第１周波数領域リソースおよび予め定義された時間領域リソースを含む、時間−周波数リソースで、端末デバイスから基準信号を受信することを含む。
【００５８】
実行可能な設計例において、第１制御情報はダウンリンク制御情報に含まれる。
【００５９】
実行可能な設計例において、処理ユニットはプロセッサ（ｐｒｏｃｅｓｓｏｒ）であってよく、送信ユニットは伝送機（ｔｒａｎｓｍｉｔｔｅｒ）であってもまたは送受信機（ｔｒａｎｓｃｅｉｖｅｒ）であってもよく、受信ユニットは受信機（ｒｅｃｅｉｖｅｒ）であってもまたは送受信機であってもよい。
【００６０】
第９の態様において、本願の実施形態は、上述のアクセスネットワークにより用いられるコンピュータソフトウェア命令を記憶するように構成されているコンピュータ記憶媒体を提供し、当該コンピュータソフトウェア命令は、上述の態様を実行するために設計されたプログラムを含む。
【００６１】
第１０の態様によると、本願の実施形態は、上述の端末デバイスにより用いられるコンピュータソフトウェア命令を記憶するように構成されているコンピュータ記憶媒体を提供し、当該コンピュータソフトウェア命令は、上述の態様を実行するために設計されたプログラムを含む。
【００６２】
送信デバイスは、上述の解決手段に基づいて、第１制御情報を受信デバイスに送信し、第１制御情報は、送信デバイスが基準信号を送信または受信するのに用いられる第１リソースを示すために用いられ、次に送信デバイスは第１リソースで基準信号を送信し、受信デバイスは第１リソースで基準信号を受信する。したがって、基準信号の伝送リソースはそれ以上固定されておらず、伝送リソースの個数、伝送リソースの位置等が、端末デバイスの速度などの要因に基づいて決定され得る。例えば、速度が低い場合、比較的少ない個数のリソースが、基準信号を送信するために構成され得る。加えて、基準信号の伝送リソースは、基準信号の送信の柔軟性を向上させるべく、第１制御情報により示されている。
【図面の簡単な説明】
【００６３】
【図１】本願の実施形態に係る基準信号を送信するためのリソースの概略図である。
【００６４】
【図２】本願の実施形態に係るシステムの概略的アーキテクチャ図である。
【００６５】
【図３】本願の実施形態に係る基準信号の送信または受信方法、およびシステムを示す。
【００６６】
【図４】本願の実施形態に係る基準信号を送信するためのリソースの図である。
【００６７】
【図５】本願の実施形態に係る基準信号を送信するためのリソースの図である。
【００６８】
【図６】本願の実施形態に係る基準信号を送信するためのリソースの図である。
【００６９】
【図７】本願の実施形態に係る第１デバイスである。
【図８】本願の実施形態に係る第１デバイスである。
【００７０】
【図９】本願の実施形態に係る第２デバイスである。
【図１０】本願の実施形態に係る第２デバイスである。
【００７１】
【図１１】本願の実施形態に係る端末デバイスである。
【図１２】本願の実施形態に係る端末デバイスである。
【００７２】
【図１３】本願の実施形態に係るアクセスネットワークデバイスである。
【図１４】本願の実施形態に係るアクセスネットワークデバイスである。
【発明を実施するための形態】
【００７３】
図２に示されるように、ダウンリンクチャネル推定の場合、アクセスネットワークデバイスは、端末デバイス１に基準信号を送信し、端末デバイス１は、アクセスネットワークデバイスから受信された基準信号に基づいて、ダウンリンクチャネルに対してチャネル推定を実行する。アップリンクチャネル推定の場合、端末デバイス１は、アクセスネットワークデバイスに基準信号を送信し、アクセスネットワークデバイスは、端末デバイス１から受信された基準信号に基づいて、アップリンクチャネルに対してチャネル推定を実行する。サイドリンクチャネル推定の場合、端末デバイス１は、端末デバイス２に基準信号を送信し、端末デバイス２は、端末デバイス１から受信された基準信号に基づいて、サイドリンクチャネルに対してチャネル推定を実行する。
【００７４】
本願に係るアクセスネットワークデバイスは、無線アクセスネットワークに配される装置であり、端末デバイスに無線通信機能を提供する。アクセスネットワークデバイスは、マクロ基地局もしくはミクロ基地局、または中継局もしくはアクセスポイントなどの基地局（Ｂａｓｅ  Ｓｔａｔｉｏｎ、ＢＳ）の様々な形態を含み得る。異なる無線接続技術に基づくシステムにおいて、アクセスネットワークデバイスの機能を有するデバイスの名称は異なってよい。例えば、当該デバイスは、ＬＴＥネットワークにおいて発展型Ｎｏｄｅ  Ｂ（ｅｖｏｌｖｅｄ  ＮｏｄｅＢ、略してｅＮＢまたはｅＮｏｄｅＢ）と呼ばれ、または第３世代３ＧネットワークにおいてノードＢ（ＮｏｄｅＢ）等と呼ばれ、またはＶ２Ｖ通信においてロードサイドユニット（Ｒｏａｄ  Ｓｉｄｅ  Ｕｎｉｔ、ＲＳＵ）と呼ばれる。説明を簡単にするために、本願では、端末デバイスに無線通信機能を提供するように構成されている上述の装置は、まとめてアクセスネットワークデバイスと呼ばれる。
【００７５】
本願に係る端末デバイスは、無線通信機能を有する車両搭載デバイス、ウェアラブルデバイス、およびコンピューティングデバイスなどの様々なハンドヘルドデバイスを含み得て、または、無線モデムに接続した他の処理デバイス、移動局（Ｍｏｂｉｌｅ  ｓｔａｔｉｏｎ、ＭＳ）、端末（ｔｅｒｍｉｎａｌ）、ユーザ機器（Ｕｓｅｒ  Ｅｑｕｉｐｍｅｎｔ、ＵＥ）等を含み得る。説明を簡単にするために、本願では、上述したデバイスは、まとめて端末デバイスと呼ばれる。
【００７６】
本願の実施形態は、具体的な例を参照して、以下により詳細に説明される。
【００７７】
図３のａは、Ｖ２Ｘサイドリンク通信における基準信号の送信または受信方法、およびシステムを示す。詳細な段階は、以下のとおりである。
【００７８】
段階３１ａ：第１端末デバイスは第２端末デバイスに第１制御情報を送信し、第２端末デバイスは第１端末デバイスから第１制御情報を受信し、第１制御情報は、第１端末デバイスが基準信号を送信するのに用いられる第１リソースを示すために用いられる。
【００７９】
段階３２ａ：第１端末デバイスは、第１リソースで第２端末デバイスに基準信号を送信し、第２端末デバイスは、第１リソースで第１端末デバイスから基準信号を受信する。
【００８０】
任意選択的な実施形態において、第１リソースは第１時間−周波数リソースを含み、本方法は、第１端末デバイスが第１時間−周波数リソースで第２端末デバイスに基準信号を送信する段階と、第２端末デバイスが第１時間−周波数リソースで第１端末デバイスから基準信号を受信する段階とを含む。具体的には、図４に示されるように、図４に示される時間−周波数リソースが、時間領域において６つのユニットに分割され、周波数領域においても６つのユニットに分割される。このように、図４の正方形は、最小時間周波数単位である。図４では、時間領域の最小単位は、サブフレーム、スロット、ミニスロット、またはシンボルうちの１つであり得る。任意選択で、時間領域において割り当てられた、または占有されたリソースの単位は、サブフレーム、スロット、ミニスロット、またはシンボルのうちの１つであり、周波数領域における最小単位は、サブキャリアまたは別の周波数領域リソース粒度であってよい。図４では、第１制御情報により示される第１リソースは、時間−周波数リソースである。具体的には、第１制御情報は、基準信号を送信するための時間領域リソース、および基準信号を送信するための周波数領域リソースの両方を示す。基準信号を送信するための時間−周波数リソースは、ａ、ｂ、ｃ、およびｄの、４つの異なる時間−周波数リソースパターン（ｐａｔｔｅｒｎ）を有してよい。第１制御情報は、基準信号を送信するための特定の時間−周波数リソース、例えば時間−周波数リソースａ、または時間−周波数リソースｂを示してよい。第１制御情報は、基準信号を送信するための時間−周波数リソースとしてａ、ｂ、ｃ、またはｄを示してもよい。任意選択で、第１制御情報により示される値と基準信号の伝送リソースとの間の対応関係は、固定または設定可能であってよく、例えば、アクセスネットワークデバイスにより決定され第１端末デバイスに送信されてよい。対応関係が固定されている場合、例えば、第１制御情報が０、１、２、および３の４つの値を有し、基準信号の伝送リソースがａ、ｂ、ｃ、ｄの４つの異なる時間−周波数リソースパターンを有するならば、対応関係０−ａ、１−ｂ、２−ｃおよび３−ｄは固定される。対応関係が設定可能である場合、例えば、第１制御情報が０、１、２、および３の４つの値を有し、基準信号の伝送リソースがａ、ｂ、ｃ、ｄ、ｅ、ｇ、およびｈの８つの異なる時間−周波数リソースパターンであるならば、次にアクセスネットワークデバイスは、０、１、２、および３と各時間−周波数リソースパターンとの間の対応関係を決定し、第１端末デバイスに当該対応関係を通知し得て、当該対応関係は可変的であり、０−ａ、１‐ｂ、２‐ｃ、および３‐ｄであり得て、または０‐ｅ、１‐ｆ、２‐ｇ、および３‐ｈ等であり得て、または他の形態の対応関係であり得る。
【００８１】
任意選択的な実施形態において、第１リソースは第１時間領域リソースを含み、本方法は、第１端末デバイスが、第１時間領域リソースおよび予め定義された周波数領域リソースを含む時間−周波数リソースで、第２端末デバイスに基準信号を送信する段階と、第２端末デバイスが、第１時間領域リソースおよび予め定義された周波数領域リソースを含む時間−周波数リソースで、第１端末デバイスから基準信号を受信する段階を含む。具体的に、図５に示されるように、第１制御情報は、時間領域において基準信号を送信するための時間−周波数リソースが、第１単位から第６単位（形式ａ）、または第１、第３、第４および第６単位（形式ｂ）であることを示すものに過ぎない。形式ａまたは形式ｂの場合、周波数領域において基準信号を送信するための時間−周波数リソースは、予め定義された周波数領域リソースである。例えば、周波数領域における第１、第３、および第５単位は全て、基準信号を送信するために用いられる。具体的には、図５のａまたは図５のｂの影部分は、基準信号を送信および受信するために用いられる。送信デバイスおよび受信デバイスは、第１制御情報に基づいて、基準信号を送信するための時間領域リソースを決定し、時間領域リソースおよび予め定義された周波数領域リソースに基づいて、基準信号を送信するための時間−周波数リソースを決定し、次に、この時間−周波数リソースで基準信号を送信または受信し得る。任意選択で、予め定義された周波数領域リソースは、固定された周波数領域リソースであっても設定可能な周波数領域リソースであってもよい。任意選択で、第１制御情報は、基準信号を送信するための特定の時間領域リソースを示してよい。任意選択で、第１制御情報は、基準信号を送信するための時間領域リソースの異なる形式、例えば形式ａまたは形式ｂを示してもよく、形式ａは第１単位から第６単位であり、形式ｂは第１、第３、第４、および第６単位である。このような形式ａまたはｂは、固定または設定可能であってよい。
【００８２】
任意選択的な実施形態において、第１リソースは第１周波数領域リソースを含み、本方法は、第１端末デバイスが、第１周波数領域リソースおよび予め定義された時間領域リソースを含む時間−周波数リソースで、第２端末デバイスに基準信号を送信する段階と、第２端末デバイスが、第１周波数領域リソースおよび予め定義された時間領域リソースを含む時間−周波数リソースで、第１端末デバイスから基準信号を受信する段階とを含む。具体的に、図６に示されるように、第１制御情報は、周波数領域において基準信号を送信するための時間−周波数リソースが、第２、第４および第６単位である（形式ａ）、または第１、第３、および第５単位である（形式ｂ）ことと、時間領域において基準信号を送信するための時間−周波数リソースが予め定義された時間領域リソースであることのみを示す。例えば、時間領域における全てのユニットは、基準信号を送信するために用いられる。具体的には、図６のａまたは図６のｂの影部分が、基準信号を送信および受信するために用いられる。送信デバイスおよび受信デバイスは、第１制御情報に基づいて、基準信号を送信するための周波数領域リソースを決定し、周波数領域リソースおよび予め定義された時間領域リソースに基づいて、基準信号を送信するための時間−周波数リソースを決定し、次に、この時間−周波数リソースで基準信号を送信または受信する。任意選択で、予め定義された時間領域リソースは、固定された時間領域リソース、または設定可能な時間領域リソースである。任意選択で、第１制御情報は、基準信号を送信するための特定の周波数領域リソースを示してよい。任意選択で、基準信号を送信するための周波数領域リソースは、予め定義された形式ａ、すなわち、第２、第４、および第６単位、または形式ｂ、すなわち、第１、第３、および第５単位であってよい。第１制御情報は、基準信号を送信するための時間領域リソースとして形式ａまたは形式ｂを示してもよい。
【００８３】
任意選択的な実施形態において、第１制御情報はサイドリンク制御情報に含まれる。
【００８４】
図３のｂは、ダウンリンク通信における基準信号の送信または受信方法、およびシステムを示す。詳細な段階は、以下のとおりである。
【００８５】
段階３１ｂ：アクセスネットワークデバイスは端末デバイスに第１制御情報を送信し、端末デバイスはアクセスネットワークデバイスから第１制御情報を受信し、第１制御情報は、アクセスネットワークデバイスが基準信号を送信するのに用いられる第１リソースを示すために用いられる。
【００８６】
段階３２ｂ：アクセスネットワークデバイスは、第１リソースで端末デバイスに基準信号を送信し、端末デバイスは、第１リソースでアクセスネットワークデバイスから基準信号を受信する。
【００８７】
任意選択的な実施形態において、第１リソースは第１時間−周波数リソースを含み、本方法は、アクセスネットワークデバイスが第１時間−周波数リソースで端末デバイスに基準信号を送信する段階と、端末デバイスが第１時間−周波数リソースでアクセスネットワークデバイスから基準信号を受信する段階とを含む。詳細については、図３のａの実施形態を参照されたい。ここで再度説明を繰り返すことはしない。
【００８８】
任意選択的な実施形態において、第１リソースは第１時間領域リソースを含み、方法は、アクセスネットワークデバイスが、第１時間領域リソースおよび予め定義された周波数領域リソースを含む時間−周波数リソースで、端末デバイスに基準信号を送信する段階と、端末デバイスが、第１時間領域リソースおよび予め定義された周波数領域リソースを含む時間−周波数リソースで、アクセスネットワークデバイスから基準信号を受信する段階を含む。詳細については、図３のａの実施形態を参照されたい。ここで再度説明を繰り返すことはしない。
【００８９】
任意選択的な実施形態において、第１リソースは第１周波数領域リソースを含み、本方法は、アクセスネットワークデバイスが、第１周波数領域リソースおよび予め定義された時間領域リソースを含む時間−周波数リソースで、端末デバイスに基準信号を送信する段階と、端末デバイスが、第１周波数領域リソースおよび予め定義された時間領域リソースを含む時間−周波数リソースで、アクセスネットワークデバイスから基準信号を受信する段階とを含む。詳細については、図３のａの実施形態を参照されたい。ここで再度説明を繰り返すことはしない。
【００９０】
任意選択的な実施形態において、第１制御情報はダウンリンク制御情報またはＲＲＣシグナリングに含まれる。
【００９１】
図３のｃは、アップリンク通信における基準信号の送信または受信方法、およびシステムを示す。詳細な段階は、以下のとおりである。
【００９２】
段階３１ｃ：端末デバイスはアクセスネットワークデバイスから第１制御情報を受信し、アクセスネットワークデバイスは端末デバイスに第１制御情報を送信し、第１制御情報は、端末デバイスが基準信号を送信するのに用いられる第１リソースを示すために用いられる。
【００９３】
段階３２ｃ：端末デバイスは、第１リソースでアクセスネットワークデバイスに基準信号を送信し、アクセスネットワークデバイスは、第１リソースで端末デバイスから基準信号を受信する。
【００９４】
任意選択的な実施形態において、第１リソースは第１時間−周波数リソースを含み、本方法は、端末デバイスが第１時間−周波数リソースでアクセスネットワークデバイスに基準信号を送信する段階と、アクセスネットワークデバイスが第１時間−周波数リソースで端末デバイスから基準信号を受信する段階とを含む。詳細については、図３のａの実施形態を参照されたい。ここで再度説明を繰り返すことはしない。
【００９５】
任意選択的な実施形態において、第１リソースは第１時間領域リソースを含み、本方法は、端末デバイスが、第１時間領域リソースおよび予め定義された周波数領域リソースを含む時間−周波数リソースで、アクセスネットワークデバイスに基準信号を送信する段階と、アクセスネットワークデバイスが、第１時間領域リソースおよび予め定義された周波数領域リソースを含む時間−周波数リソースで、端末デバイスから基準信号を受信する段階を含む。詳細については、図３のａの実施形態を参照されたい。ここで再度説明を繰り返すことはしない。
【００９６】
任意選択的な実施形態において、第１リソースは第１周波数領域リソースを含み、本方法は、端末デバイスが、第１周波数領域リソースおよび予め定義された時間領域リソースを含む時間−周波数リソースで、アクセスネットワークデバイスに基準信号を送信する段階と、アクセスネットワークデバイスが、第１周波数領域リソースおよび予め定義された時間領域リソースを含む時間−周波数リソースで、端末デバイスから基準信号を受信する段階とを含む。詳細については、図３のａの実施形態を参照されたい。ここで再度説明を繰り返すことはしない。
【００９７】
図３のａ、図３のｂ、および図３のｃの実施形態において、任意選択で、第１制御情報は時間−周波数リソースパターン（ｐａｔｔｅｒｎ）を示す。第１制御情報は、サイドリンク制御情報、ダウンリンク制御情報、またはＲＲＣシグナリングに含まれる。
【００９８】
図３のａ、図３のｂ、図３のｃの実施形態において、任意選択で、第１制御情報は、サイドリンク制御情報またはダウンリンク制御情報に追加される新しいフィールドにより示されてよく、または、サイドリンク制御情報またはダウンリンク制御情報の既存のフィールドにより示されてよい。以下の説明において、サイドリンク制御情報は一例として用いられる。サイドリンク制御情報の既存のフィールドが指示に用いられる場合、実行可能な方式は、異なるマスク（ｍａｓｋ）を用いてスクランブル処理された巡回冗長検査（Ｃｙｃｌｉｃ  Ｒｅｄｕｎｄａｎｃｙ  Ｃｈｅｃｋ、ＣＲＣ）ビットを通じて第１制御情報を示すことである。例えば、異なるマスクが、基準信号を送信するための異なるリソースに対応し得る。受信機側の場合、伝送機側のマスクが、ブラインド検出により決定され得る。さらに、異なるマスクに対応する基準信号を送信するためのリソースが取得され得る。
【００９９】
図３のａ、図３のｂ、および図３のｃの実施形態において、任意選択で、半永続スケジューリング（Ｓｅｍｉ‐Ｐｅｒｓｉｓｔｅｎｔ  Ｓｃｈｅｄｕｌｉｎｇ、ＳＰＳ）下でのデータ送信の場合、基準信号がそれに応じて周期的に送信されてもよく、第１制御情報は、周期的に送信される基準信号に対するリソースを示してよい。任意選択で、複数の周期的に送信される基準信号に対するリソースは、同じ第１制御情報で示される、すなわち、一元的に示されてよく、または、複数の周期的に送信される基準信号に対するリソースは、複数の第１制御情報で個別に示される、すなわち、個別に示されてよい。
【０１００】
図３のａ、図３のｂ、および図３のｃの実施形態において、任意選択で、データが複数回伝送される場合、基準信号もそれに応じて複数回伝送される。複数の基準信号の伝送リソースの場合、後続の基準信号の伝送リソースまたは伝送リソースパターンが、以前の基準信号の伝送リソースまたは伝送リソースパターンに基づいて決定されてよい。例えば、以前の基準信号の伝送リソースまたは伝送リソースパターンと同一であるか、または関連してよく、または、後続の基準信号の伝送リソースまたは伝送リソースパターンは第１制御情報等により示されてもよい。
【０１０１】
図３のａ、図３のｂ、および図３のｃの実施形態の任意選択的な実施形態において、第１端末デバイスまたは端末デバイスがアクセスネットワークデバイスに補助情報を送信する。補助情報は、第１端末デバイスの、速度および／または加速度および／または移動方向および／または地理的位置および／またはチャネル状態情報等を含む。アクセスネットワークデバイスは、補助情報に基づいて基準信号の伝送リソースを決定する。アクセスネットワークデバイスは、第１端末デバイスまたは端末デバイスに第１制御情報を送信し、第１制御情報は、基準信号を送信するための第１リソースを示すのに用いられる。任意選択で、第１制御情報は、アクセスネットワークデバイスにより第１端末デバイスまたは端末デバイスに送信されるダウンリンク制御情報（Ｄｏｗｎｌｉｎｋ  Ｃｏｎｔｒｏｌ  Ｉｎｆｏｒｍａｔｉｏｎ、ＤＣＩ）または無線リソース制御（Ｒａｄｉｏ  Ｒｅｓｏｕｒｃｅ  Ｃｏｎｔｒｏｌ、ＲＲＣ）シグナリングに含まれる。
【０１０２】
図３のａ、図３のｂ、および図３のｃの実施形態において、任意選択で、複数のアンテナポートまたは複数の層が基準信号を送信するために用いられる場合、アンテナポートまたは層における基準信号の伝送リソースは異なってよく、第１制御情報は、複数のアンテナポートまたは層における基準信号の伝送リソースを示してよい。
【０１０３】
図３のａ、図３のｂ、および図３のｃの実施形態において、任意選択で、ダウンリンク制御情報またはサイドリンク制御情報はさらに第２リソースを示し、第１リソースは第２リソースの一部である。具体的には基準信号の伝送リソースは第２リソースの一部である。第２リソースは、データを端末デバイスに送信するために、アクセスネットワークデバイスにより用いられる時間−周波数リソースである、または第２リソースは、データをアクセスネットワークデバイスに送信するために、端末デバイスにより用いられる時間−周波数リソースである、または第２リソースは、データを第２端末デバイスに送信するために第１端末デバイスにより用いられる時間−周波数リソースである。第１リソースは、第２リソースおよび第１制御情報に基づいて決定され得る。例えば、第１制御情報は、基準信号が時間領域の第２、第４、および第６単位で送信されること（例えば、形式ａ）を示す。したがって、時間領域の第２、第４、および第６単位は、第２リソースにおける時間領域の第２、第４、および第６単位であり、第２リソースにおける時間領域の第２、第４、および第６単位で、送信デバイスは基準信号を送信し、受信デバイスは基準信号を受信する。別の例において、第１制御情報は、基準信号の時間−周波数リソースパターンを示す。時間−周波数リソースパターンは、時間−周波数リソース範囲、例えば、リソースブロック（Ｒｅｓｏｕｒｃｅ  Ｂｌｏｃｋ、ＲＢ）における基準信号の伝送リソース位置である。ダウンリンク制御情報またはサイドリンク制御情報は、データを送信するためのリソースが５つのリソースブロックであることを示す。したがって、各リソースブロックにおいて、基準信号の伝送リソースは、基準信号の第１制御情報により示される時間−周波数リソースパターンに基づいて決定され、５つのリソースブロック内の基準信号の伝送リソースで、送信デバイスは基準信号を送信し、受信デバイスは基準信号を受信する。
【０１０４】
本願のこの実施形態によると、送信デバイスは、受信デバイスに第１制御情報を送信する。第１制御情報は、送信デバイスが基準信号を送信または受信するのに用いられる第１リソースを示すために用いられ（送信デバイスは第１端末デバイスまたはアクセスネットワークデバイスであってよく、受信デバイスは端末デバイスまたは第２端末デバイスであってよい）、第１リソースで、送信デバイスは基準信号を送信し、受信デバイスは基準信号を受信する。したがって、基準信号の伝送リソースはそれ以上固定されておらず、伝送リソースの個数、伝送リソースの位置等が、端末デバイスの速度などの要因に基づいて決定され得る。例えば、速度が低い場合、比較的少ない個数のリソースが、基準信号を送信するために構成され得る。加えて、基準信号の伝送リソースは、基準信号の送信の柔軟性を向上させるべく、第１制御情報により示されている。
【０１０５】
図７は、図３のａおよび図３のｂの実施形態に係る方法を実行するように構成されている第１デバイスの実行可能な概略構造図である。第１デバイスは送信ユニット７０１を含み、当該第１デバイスは第１端末デバイスまたはアクセスネットワークデバイスであってよい。
【０１０６】
送信ユニット７０１は、第２デバイスに第１制御情報を送信するように構成され、当該第１制御情報は、第１デバイスが基準信号を送信するのに用いられる第１リソースを示すために用いられる。
【０１０７】
送信ユニット７０１はさらに、第１リソースで第２デバイスに基準信号を送信するように構成されている。
【０１０８】
任意選択的な実施形態において、第１リソースは、第１時間−周波数リソースを含み、送信ユニットがさらに、第１リソースで第２デバイスに基準信号を送信するように構成されていることは、送信ユニットが、第１時間−周波数リソースで、第２デバイスに基準信号を送信することを含む。
【０１０９】
任意選択的な実施形態において、第１リソースは第１時間領域リソースを含み、送信ユニットがさらに、第１リソースで第２デバイスに基準信号を送信するように構成されていることは、送信ユニットが、第１時間領域リソースおよび予め定義された周波数領域リソースを含む時間−周波数リソースで、第２デバイスに基準信号を送信することを含む。
【０１１０】
任意選択的な実施形態において、第１リソースは第１周波数領域リソースを含み、送信ユニットがさらに、第１リソースで第２デバイスに基準信号を送信するように構成されていることは、送信ユニットが、第１周波数領域リソースおよび予め定義された時間領域リソースを含む、時間−周波数リソースで、第２デバイスに基準信号を送信することを含む。
【０１１１】
任意選択的な実施形態において、ダウンリンク通信の場合、第１デバイスはアクセスネットワークデバイスを含み、第２デバイスは端末デバイスを含む。任意選択で、第１制御情報は、ダウンリンク制御情報に含まれる。
【０１１２】
任意選択的な実施形態において、サイドリンク通信の場合、第１デバイスは第１端末デバイスを含み、第２デバイスは第２端末デバイスを含む。任意選択で、第１制御情報は、サイドリンク制御情報に含まれる。任意選択で、第１デバイスはさらに受信ユニットを含み、第１制御情報はアクセスネットワークデバイスから当該受信ユニットにより受信される。
【０１１３】
任意選択的な実施形態において、送信ユニット７０１は、伝送機８０１または送受信機であってよい。第１デバイスはさらにプロセッサ８０２を含んでよく、第１デバイスはさらにメモリ８０３を含んでよく、メモリ８０３は、図８に具体的に示されるように、第１デバイスのプログラムコードおよびデータを記憶するように構成されている。
【０１１４】
本願のこの実施形態によると、第１デバイスは、第２デバイスに第１制御情報を送信する。第１制御情報は、第１デバイスが基準信号を送信または受信するために用いられる第１リソースを示すために用いられ（第１デバイスは第１端末デバイスまたはアクセスネットワークデバイスであってよく、第２デバイスは端末デバイスまたは第２端末デバイスであってよい）、第１リソースで、第１デバイスは基準信号を送信し、第２デバイスは基準信号を受信する。したがって、基準信号の伝送リソースはそれ以上固定されておらず、伝送リソースの個数、伝送リソースの位置等が、端末デバイスの速度などの要因に基づいて決定され得る。例えば、速度が低い場合、比較的少数のリソースが、基準信号を送信するために構成され得る。加えて、基準信号の伝送リソースは、基準信号の送信の柔軟性を向上させるべく、第１制御情報により示されている。
【０１１５】
図９は、図３のａおよび図３のｂの実施形態に係る方法を実行するように構成されている第２デバイスの実行可能な概略構造図である。第２デバイスは受信ユニット９０１を含み、当該第２デバイスは第２端末デバイスまたは端末デバイスであってよい。
【０１１６】
受信ユニット９０１は、第１デバイスから第１制御情報を受信するように構成され、当該第１制御情報は、第１デバイスが基準信号を送信するのに用いられる第１リソースを示すために用いられる。
【０１１７】
受信ユニット９０１はさらに、第１リソースで第１デバイスから基準信号を受信するように構成されている。
【０１１８】
任意選択的な実施形態において、第１リソースは、第１時間−周波数リソースを含み、受信ユニットがさらに、第１リソースで第１デバイスから基準信号を受信するように構成されていることは、受信ユニットが、第１時間−周波数リソースで、第１デバイスから基準信号を受信することを含む。
【０１１９】
任意選択的な実施形態において、第１リソースは第１時間領域リソースを含み、受信ユニットがさらに、第１リソースで第１デバイスから基準信号を受信するように構成されていることは、受信ユニットが、第１時間領域リソースおよび予め定義された周波数領域リソースを含む時間−周波数リソースで、第１デバイスから基準信号を受信することを含む。
【０１２０】
任意選択的な実施形態において、第１リソースは第１周波数領域リソースを含み、受信ユニットがさらに、第１リソースで第１デバイスから基準信号を受信するように構成されていることは、受信ユニットが、第１周波数領域リソースおよび予め定義された時間領域リソースを含む、時間−周波数リソースで、第１デバイスから基準信号を受信することを含む。
【０１２１】
任意選択的な実施形態において、第１デバイスはアクセスネットワークデバイスを含み、第２デバイスは端末デバイスを含む。任意選択で、第１制御情報は、ダウンリンク制御情報に含まれる。
【０１２２】
任意選択的な実施形態において、第１デバイスは第１端末デバイスを含み、第２デバイスは第２端末デバイスを含む。任意選択で、第１制御情報は、サイドリンク制御情報に含まれる。任意選択で、第１制御情報は、アクセスネットワークデバイスから第１端末デバイスにより受信される。
【０１２３】
任意選択的な実施形態において、受信ユニット９０１は、受信機１００１または送受信機であってよい。第２デバイスはさらにプロセッサ１００２を含んでよく、第２デバイスはさらにメモリ１００３を含んでよく、メモリ１００３は、図１０に具体的に示されるように、第１デバイスのプログラムコードおよびデータを記憶するように構成されている。
【０１２４】
本願のこの実施形態によると、第１デバイスは、第２デバイスに第１制御情報を送信する。第１制御情報は、第１デバイスが基準信号を送信または受信するのに用いられる第１リソースを示すために用いられ（第１デバイスは第１端末デバイスまたはアクセスネットワークデバイスであってよく、第２デバイスは端末デバイスまたは第２端末デバイスであってよい）、第１リソースで、第１デバイスは基準信号を送信し、第２デバイスは基準信号を受信する。したがって、基準信号の伝送リソースはそれ以上固定されておらず、伝送リソースの個数、伝送リソースの位置等が、端末デバイスの速度などの要因に基づいて決定され得る。例えば、速度が低い場合、比較的少ない個数のリソースが、基準信号を送信するために構成され得る。加えて、基準信号の伝送リソースは、基準信号の送信の柔軟性を向上させるべく、第１制御情報により示されている。
【０１２５】
図１１は、図３のｃの実施形態に係る方法を実行するように構成されている端末デバイスの実行可能な概略構造図である。端末デバイスは、受信ユニット１１０１および送信ユニット１１０２を含む。
【０１２６】
受信ユニット１１０１は、アクセスネットワークデバイスから第１制御情報を受信するように構成され、当該第１制御情報は、端末デバイスが基準信号を送信するのに用いられる第１リソースを示すために用いられる。
【０１２７】
送信ユニット１１０２は、第１リソースでアクセスネットワークデバイスに基準信号を送信するように構成されている。
【０１２８】
任意選択的な実施形態において、第１リソースは、第１時間−周波数リソースを含み、送信ユニット１１０２が、第１リソースでアクセスネットワークデバイスに基準信号を送信するように構成されていることは、送信ユニット１１０２が、第１時間−周波数リソースで、アクセスネットワークデバイスに基準信号を送信することを含む。
【０１２９】
任意選択的な実施形態において、第１リソースは第１時間領域リソースを含み、送信ユニット１１０２が、第１リソースでアクセスネットワークデバイスに基準信号を送信するように構成されていることは、送信ユニット１１０２が、第１時間領域リソースおよび予め定義された周波数領域リソースを含む時間−周波数リソースで、アクセスネットワークデバイスに基準信号を送信することを含む。
【０１３０】
任意選択的な実施形態において、第１リソースは第１周波数領域リソースを含み、送信ユニット１１０２が、第１リソースでアクセスネットワークデバイスに基準信号を送信するように構成されていることは、送信ユニット１１０２が、第１周波数領域リソースおよび予め定義された時間領域リソースを含む、時間−周波数リソースで、アクセスネットワークデバイスに基準信号を送信することを含む。
【０１３１】
任意選択的な実施形態において、第１制御情報はダウンリンク制御情報に含まれる。
【０１３２】
任意選択的な実施形態において、受信ユニット１１０１は、受信機１２０１または送受信機であってよく、送信ユニット１１０２は、伝送機１２０２または送受信機であってよい。第１デバイスはさらにプロセッサ１２０３を含んでよく、第１デバイスはさらにメモリ１２０４を含んでよく、メモリ１２０４は、図１２に具体的に示されるように、端末デバイスのプログラムコードおよびデータを記憶するように構成されている。
【０１３３】
本願のこの実施形態によると、アクセスネットワークデバイスは、第１制御情報を端末デバイスに送信し、第１制御情報は、端末デバイスが基準信号を送信するのに用いられる第１リソースを示すために用いられ、次にアクセスネットワークデバイスは第１リソースで基準信号を受信する。したがって、基準信号の伝送リソースはそれ以上固定されておらず、伝送リソースの個数、伝送リソースの位置等が、端末デバイスの速度などの要因に基づいて決定され得る。例えば、速度が低い場合、比較的少ない個数のリソースが、基準信号を送信するために構成され得る。加えて、基準信号の伝送リソースは、基準信号の送信の柔軟性を向上させるべく、第１制御情報により示されている。
【０１３４】
図１３は、図３のｃの実施形態に係る方法を実行するように構成されているアクセスネットワークデバイスの実行可能な概略構造図である。端末デバイスは、送信ユニット１３０１および受信ユニット１３０２を含む。
【０１３５】
送信ユニット１３０１は、端末デバイスに第１制御情報を送信するように構成され、当該第１制御情報は、端末デバイスが基準信号を送信するのに用いられる第１リソースを示すために用いられる。
【０１３６】
受信ユニット１３０２は、第１リソースで端末デバイスから基準信号を受信するように構成されている。
【０１３７】
任意選択的な実施形態において、第１リソースは、第１時間−周波数リソースを含み、受信ユニット１３０２が、第１リソースで端末デバイスから基準信号を受信するように構成されていることは、受信ユニット１３０２が、第１時間−周波数リソースで、端末デバイスから基準信号を受信することを含む。
【０１３８】
任意選択的な実施形態において、第１リソースは第１時間領域リソースを含み、受信ユニット１３０２が、第１リソースで端末デバイスから基準信号を受信するように構成されていることは、受信ユニット１３０２が、第１時間領域リソースおよび予め定義された周波数領域リソースを含む時間−周波数リソースで、端末デバイスから基準信号を受信することを含む。
【０１３９】
任意選択的な実施形態において、第１リソースは第１周波数領域リソースを含み、受信ユニット１３０２が、第１リソースで端末デバイスから基準信号を受信するように構成されていることは、受信ユニット１３０２が、第１周波数領域リソースおよび予め定義された時間領域リソースを含む、時間−周波数リソースで、端末デバイスから基準信号を受信することを含む。
【０１４０】
任意選択的な実施形態において、第１制御情報はダウンリンク制御情報に含まれる。
【０１４１】
任意選択的な実施形態において、受信ユニット１３０２は、受信機１４０２または送受信機であってよく、送信ユニット１３０１は、伝送機１４０１または送受信機であってよい。第１デバイスはさらにプロセッサ１４０３を含んでよく、第１デバイスはさらにメモリ１４０４を含んでよく、メモリ１４０４は、図１４に具体的に示されるように、端末デバイスのプログラムコードおよびデータを記憶するように構成されている。
【０１４２】
本願のこの実施形態によると、アクセスネットワークデバイスは、第１制御情報を端末デバイスに送信し、第１制御情報は、端末デバイスが基準信号を送信するのに用いられる第１リソースを示すために用いられ、次にアクセスネットワークデバイスは第１リソースで基準信号を受信する。したがって、基準信号の伝送リソースはそれ以上固定されておらず、伝送リソースの個数、伝送リソースの位置等が、端末デバイスの速度などの要因に基づいて決定され得る。例えば、速度が低い場合、比較的少ない個数のリソースが、基準信号を送信するために構成され得る。加えて、基準信号の伝送リソースは、基準信号の送信の柔軟性を向上させるべく、第１制御情報により示されている。
【０１４３】
本願において提供されるいくつかの実施形態では、開示されるシステム、装置、および方法が他の方式で実装されてもよいことを理解されたい。例えば、説明されている装置の実施形態は一例に過ぎない。例えば、ユニットの分割は単に論理的な機能の分割に過ぎず、実際の実装においては他の分割であってよい。例えば、複数のユニットまたはコンポーネントが組み合わされても、または別のシステムに統合されてもよく、または一部の機能が無視されてもまたは実行されなくてもよい。加えて、表示または説明された相互結合または直接結合または通信接続は、いくつかのインタフェースを用いて実装されてよい。装置間またはユニット間の間接的結合または通信接続は、電子的形態、機械的形態、または他の形態で実装されてよい。
【０１４４】
別個の部分として説明されたユニットは、物理的に分かれていてもいなくてもよく、ユニットとして表示された部分が物理的ユニットであってもなくてもよく、１か所に配置されてもよく、または複数のネットワークユニットに分散されてもよい。これらのユニットの一部または全てが、実際の要件に基づいて選択され、実施形態の解決手段の目的を実現してよい。
【０１４５】
加えて、本願の実施形態の機能ユニットが１つの処理ユニットに統合されてよく、またはこれらのユニットの各々は物理的に単独で存在してよく、または２つまたはそれより多くのユニットが１つのユニットに統合される。統合されたユニットは、ハードウェアの形態で実装されてよく、または、ソフトウェア機能ユニットの形態で実装されてよい。
【０１４６】
統合されたユニットがソフトウェア機能ユニットの形態で実装され、独立した製品として販売または使用される場合、統合されたユニットはコンピュータ可読記憶媒体に記憶されてよい。このような理解に基づき、本願の技術的解決手段は本質的に、または先行技術に寄与する部分は、または技術的解決手段の全部または一部は、ソフトウェア製品の形態で実装されてよい。コンピュータソフトウェア製品は、記憶媒体に記憶され、本願の実施形態で説明された方法の段階の全てまたは一部を実行するようにコンピュータデバイス（これは、パーソナルコンピュータ、サーバ、またはネットワークデバイスであってよい）に命令するためのいくつかの命令を含む。上述の記憶媒体は、ＵＳＢフラッシュドライブ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスクまたは光ディスクなど、プログラムコードを記憶できる任意の媒体を含む。
【図１】
2020510333.tif 000003
【図２】
2020510333.tif 000004
【図３】
2020510333.tif 000005
【図４】
2020510333.tif 000006
【図５】
2020510333.tif 000007
【図６】
2020510333.tif 000008
【図７】
2020510333.tif 000009
【図８】
2020510333.tif 000010
【図９】
2020510333.tif 000011
【図１０】
2020510333.tif 000012
【図１１】
2020510333.tif 000013
【図１２】
2020510333.tif 000014
【図１３】
2020510333.tif 000015
【図１４】
2020510333.tif 000016
【手続補正書】
【提出日】令和1年9月17日(2019.9.17)
【手続補正１】
【補正対象書類名】特許請求の範囲
【補正対象項目名】全文
【補正方法】変更
【補正の内容】
【特許請求の範囲】
【請求項１】
基準信号の送信方法であって、
第１デバイスが、第２デバイスに第１制御情報を送信する段階であって、前記第１制御情報は、前記第１デバイスが基準信号を送信するのに用いられる第１リソースを示すために用いられる、送信する段階と、
前記第１デバイスが、前記第１リソースで、前記基準信号を前記第２デバイスに送信する段階と
を備える、方法。
【請求項２】
前記第１リソースは、第１時間−周波数リソースを含み、前記第１デバイスが前記第１リソースで前記第２デバイスに前記基準信号を送信する前記段階は、
前記第１デバイスが、前記第１時間−周波数リソースで、前記第２デバイスに前記基準信号を送信する段階を含む、または
前記第１リソースは第１時間領域リソースを含み、前記第１デバイスが前記第１リソースで前記第２デバイスに前記基準信号を送信する前記段階は、
前記第１デバイスが、前記第１時間領域リソースおよび予め定義された周波数領域リソースを含む時間−周波数リソースで、前記第２デバイスに前記基準信号を送信する段階を含む、または
前記第１リソースは第１周波数領域リソースを含み、前記第１デバイスが、前記第１リソースで前記第２デバイスに前記基準信号を送信する前記段階は、
前記第１デバイスが、前記第１周波数領域リソースおよび予め定義された時間領域リソースを含む時間−周波数リソースで、前記第２デバイスに前記基準信号を送信する段階を含む、
請求項１に記載の方法。
【請求項３】
前記第１デバイスはアクセスネットワークデバイスを含み、前記第２デバイスは端末デバイスを含み、
前記第１制御情報は、ダウンリンク制御情報に含まれる、または、
前記第１デバイスは第１端末デバイスを含み、前記第２デバイスは第２端末デバイスを含み、
前記第１制御情報は、サイドリンク制御情報に含まれる、および／または前記第１制御情報は、アクセスネットワークデバイスから前記第１端末デバイスにより受信される、請求項１または２に記載の方法。
【請求項４】
第１デバイスであって、
第１制御情報を第２デバイスに送信するように構成されている送信ユニットであって、前記第１制御情報は、前記第１デバイスが基準信号を送信するのに用いられる第１リソースを示すために用いられる、送信ユニット
を備え、
前記送信ユニットはさらに、前記第１リソースで前記第２デバイスに前記基準信号を送信するように構成されている、第１デバイス。
【請求項５】
前記第１リソースは、第１時間−周波数リソースを含み、前記送信ユニットがさらに、前記第１リソースで前記第２デバイスに前記基準信号を送信するように構成されていることは、
前記送信ユニットが、前記第１時間−周波数リソースで前記第２デバイスに前記基準信号を送信することを含む、または
前記第１リソースは第１時間領域リソースを含み、前記送信ユニットがさらに、前記第１リソースで前記第２デバイスに前記基準信号を送信するように構成されていることは、
前記送信ユニットが、前記第１時間領域リソースおよび予め定義された周波数領域リソースを含む時間−周波数リソースで、前記第２デバイスに前記基準信号を送信することを含む、または
前記第１リソースは第１周波数領域リソースを含み、前記送信ユニットがさらに、前記第１リソースで前記第２デバイスに前記基準信号を送信するように構成されていることは、
前記送信ユニットが、前記第１周波数領域リソースおよび予め定義された時間領域リソースを含む時間−周波数リソースで、前記第２デバイスに前記基準信号を送信することを含む、
請求項４に記載の第１デバイス。
【請求項６】
前記第１デバイスはアクセスネットワークデバイスを含み、前記第２デバイスは端末デバイスを含み、
前記第１制御情報は、ダウンリンク制御情報に含まれる、または
前記第１デバイスは第１端末デバイスを含み、前記第２デバイスは第２端末デバイスを含み、
前記第１制御情報は、サイドリンク制御情報に含まれ、および／または前記第１デバイスはさらに受信ユニットを備え、前記第１制御情報は、アクセスネットワークデバイスから前記受信ユニットにより受信される、請求項４または５に記載の第１デバイス。
【請求項７】
基準信号の送信方法であって、
端末デバイスが、アクセスネットワークデバイスから第１制御情報を受信する段階であって、前記第１制御情報は、前記端末デバイスが基準信号を送信するのに用いられる第１リソースを示すために用いられる、受信する段階と、
前記端末デバイスが、前記第１リソースで、前記基準信号を前記アクセスネットワークデバイスに送信する段階と
を備える、方法。
【請求項８】
前記第１リソースは、第１時間−周波数リソースを含み、前記端末デバイスが前記第１リソースで前記アクセスネットワークデバイスに前記基準信号を送信する前記段階は、
前記端末デバイスが、前記第１時間−周波数リソースで、前記アクセスネットワークデバイスに前記基準信号を送信する段階を含む、または
前記第１リソースは第１時間領域リソースを含み、前記端末デバイスが前記第１リソースで前記アクセスネットワークデバイスに前記基準信号を送信する前記段階は、
前記端末デバイスが、前記第１時間領域リソースおよび予め定義された周波数領域リソースを含む時間−周波数リソースで、前記アクセスネットワークデバイスに前記基準信号を送信する段階を含む、または
前記第１リソースは第１周波数領域リソースを含み、前記端末デバイスが、前記第１リソースで前記アクセスネットワークデバイスに前記基準信号を送信する前記段階は、
前記端末デバイスが、前記第１周波数領域リソースおよび予め定義された時間領域リソースを含む時間−周波数リソースで、前記アクセスネットワークデバイスに前記基準信号を送信する段階を含む、
請求項７に記載の方法。
【請求項９】
前記第１制御情報は、ダウンリンク制御情報に含まれる、
請求項７または８に記載の方法。
【請求項１０】
端末デバイスであって、
第１制御情報をアクセスネットワークデバイスから受信するように構成されている受信ユニットであって、前記第１制御情報は、前記端末デバイスが基準信号を送信するのに用いられる第１リソースを示すために用いられる、受信ユニットと
前記第１リソースで前記アクセスネットワークデバイスに前記基準信号を送信するように構成されている、送信ユニットとを備える、端末デバイス。
【請求項１１】
前記第１リソースは、第１時間−周波数リソースを含み、前記送信ユニットが、前記第１リソースで前記アクセスネットワークデバイスに前記基準信号を送信するように構成されていることは、
前記送信ユニットが、前記第１時間−周波数リソースで、前記アクセスネットワークデバイスに前記基準信号を送信することを含む、または
前記第１リソースは第１時間領域リソースを含み、前記送信ユニットが、前記第１リソースで前記アクセスネットワークデバイスに前記基準信号を送信するように構成されていることは、
前記送信ユニットが、前記第１時間領域リソースおよび予め定義された周波数領域リソースを含む時間−周波数リソースで、前記アクセスネットワークデバイスに前記基準信号を送信することを含む、または
前記第１リソースは第１周波数領域リソースを含み、前記送信ユニットが、前記第１リソースで前記アクセスネットワークデバイスに前記基準信号を送信するように構成されていることは、
前記送信ユニットが、前記第１周波数領域リソースおよび予め定義された時間領域リソースを含む時間−周波数リソースで、前記アクセスネットワークデバイスに前記基準信号を送信することを含む、
請求項１０に記載の端末デバイス。
【請求項１２】
前記第１制御情報は、ダウンリンク制御情報に含まれる、
請求項１０または１１に記載の端末デバイス。
【手続補正２】
【補正対象書類名】明細書
【補正対象項目名】０００４
【補正方法】変更
【補正の内容】
【０００４】
デバイスツーデバイス（Ｄｅｖｉｃｅ  ｔｏ  Ｄｅｖｉｃｅ、Ｄ２Ｄ）通信、ビークルツービークル（Ｖｅｈｉｃｌｅ  ｔｏ  Ｖｅｈｉｃｌｅ、Ｖ２Ｖ）通信、ビークルツーペデストリアン（Ｖｅｈｉｃｌｅ  ｔｏ  Ｐｅｄｅｓｔｒｉａｎ、Ｖ２Ｐ）通信、またはビークルツーインフラストラクチャ／ネットワークＶ２Ｉ／Ｎ（Ｖｅｈｉｃｌｅ  ｔｏ  Ｉｎｆｒａｓｔｒｕｃｔｕｒｅ／Ｎｅｔｗｏｒｋ、Ｖ２Ｉ／Ｎ）通信は、端末デバイス（ｔｅｒｍｉｎａｌ  ｄｅｖｉｃｅ）が互いに直接通信する技術である。Ｖ２Ｖ、Ｖ２Ｐ、およびＶ２Ｉ／Ｎは、まとめてＶ２Ｘと呼ばれる。換言すると、車両とあらゆるものとの間の通信である。
【手続補正３】
【補正対象書類名】明細書
【補正対象項目名】００８０
【補正方法】変更
【補正の内容】
【００８０】
任意選択的な実施形態において、第１リソースは第１時間−周波数リソースを含み、本方法は、第１端末デバイスが第１時間−周波数リソースで第２端末デバイスに基準信号を送信する段階と、第２端末デバイスが第１時間−周波数リソースで第１端末デバイスから基準信号を受信する段階とを含む。具体的には、図４に示されるように、図４に示される時間−周波数リソースが、時間領域において６つのユニットに分割され、周波数領域においても６つのユニットに分割される。このように、図４の正方形は、最小時間周波数単位である。図４では、時間領域の最小単位は、サブフレーム、スロット、ミニスロット、またはシンボルうちの１つであり得る。任意選択で、時間領域において割り当てられた、または占有されたリソースの単位は、サブフレーム、スロット、ミニスロット、またはシンボルのうちの１つであり、周波数領域における最小単位は、サブキャリアまたは別の周波数領域リソース粒度であってよい。図４では、第１制御情報により示される第１リソースは、時間−周波数リソースである。具体的には、第１制御情報は、基準信号を送信するための時間領域リソース、および基準信号を送信するための周波数領域リソースの両方を示す。基準信号を送信するための時間−周波数リソースは、ａ、ｂ、ｃ、およびｄの、４つの異なる時間−周波数リソースパターン（ｐａｔｔｅｒｎ）を有してよい。第１制御情報は、基準信号を送信するための特定の時間−周波数リソース、例えば時間−周波数リソースａ、または時間−周波数リソースｂを示してよい。第１制御情報は、基準信号を送信するための時間−周波数リソースとしてａ、ｂ、ｃ、またはｄを示してもよい。任意選択で、第１制御情報により示される値と基準信号の伝送リソースとの間の対応関係は、固定または設定可能であってよく、例えば、アクセスネットワークデバイスにより決定され第１端末デバイスに送信されてよい。対応関係が固定されている場合、例えば、第１制御情報が０、１、２、および３の４つの値を有し、基準信号の伝送リソースがａ、ｂ、ｃ、ｄの４つの異なる時間−周波数リソースパターンを有するならば、対応関係０−ａ、１−ｂ、２−ｃおよび３−ｄは固定される。対応関係が設定可能である場合、例えば、第１制御情報が０、１、２、および３の４つの値を有し、基準信号の伝送リソースがａ、ｂ、ｃ、ｄ、ｅ、ｆ、ｇ、およびｈの８つの異なる時間−周波数リソースパターンを有するならば、次にアクセスネットワークデバイスは、０、１、２、および３と各時間−周波数リソースパターンとの間の対応関係を決定し、第１端末デバイスに当該対応関係を通知し得て、当該対応関係は可変的であり、０−ａ、１‐ｂ、２‐ｃ、および３‐ｄであり得て、または０‐ｅ、１‐ｆ、２‐ｇ、および３‐ｈ等であり得て、または他の形態の対応関係であり得る。
【手続補正４】
【補正対象書類名】明細書
【補正対象項目名】０１４６
【補正方法】変更
【補正の内容】
【０１４６】
統合されたユニットがソフトウェア機能ユニットの形態で実装され、独立した製品として販売または使用される場合、統合されたユニットはコンピュータ可読記憶媒体に記憶されてよい。このような理解に基づき、本願の技術的解決手段は本質的に、または先行技術に寄与する部分は、または技術的解決手段の全部または一部は、ソフトウェア製品の形態で実装されてよい。コンピュータソフトウェア製品は、記憶媒体に記憶され、本願の実施形態で説明された方法の段階の全てまたは一部を実行するようにコンピュータデバイス（これは、パーソナルコンピュータ、サーバ、またはネットワークデバイスであってよい）に命令するためのいくつかの命令を含む。上述の記憶媒体は、ＵＳＢフラッシュドライブ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスクまたは光ディスクなど、プログラムコードを記憶できる任意の媒体を含む。
（項目１）
基準信号の送信方法であって、
第１デバイスが、第２デバイスに第１制御情報を送信する段階であって、上記第１制御情報は、上記第１デバイスが基準信号を送信するのに用いられる第１リソースを示すために用いられる、送信する段階と、
上記第１デバイスが、上記第１リソースで、上記基準信号を上記第２デバイスに送信する段階と
を備える、方法。
（項目２）
上記第１リソースは、第１時間−周波数リソースを含み、上記第１デバイスが上記第１リソースで上記第２デバイスに上記基準信号を送信する上記段階は、
上記第１デバイスが、上記第１時間−周波数リソースで、上記第２デバイスに上記基準信号を送信する段階を含む、または
上記第１リソースは第１時間領域リソースを含み、上記第１デバイスが上記第１リソースで上記第２デバイスに上記基準信号を送信する上記段階は、
上記第１デバイスが、上記第１時間領域リソースおよび予め定義された周波数領域リソースを含む時間−周波数リソースで、上記第２デバイスに上記基準信号を送信する段階を含む、または
上記第１リソースは第１周波数領域リソースを含み、上記第１デバイスが、上記第１リソースで上記第２デバイスに上記基準信号を送信する上記段階は、
上記第１デバイスが、上記第１周波数領域リソースおよび予め定義された時間領域リソースを含む時間−周波数リソースで、上記第２デバイスに上記基準信号を送信する段階を含む、
項目１に記載の方法。
（項目３）
上記第１デバイスはアクセスネットワークデバイスを含み、上記第２デバイスは端末デバイスを含む、項目１または２に記載の方法。
（項目４）
上記第１制御情報は、ダウンリンク制御情報に含まれる、
項目３に記載の方法。
（項目５）
上記第１デバイスは第１端末デバイスを含み、上記第２デバイスは第２端末デバイスを含む、項目１または２に記載の方法。
（項目６）
上記第１制御情報は、サイドリンク制御情報に含まれる、
項目５に記載の方法。
（項目７）
上記第１制御情報は、アクセスネットワークデバイスから上記第１端末デバイスにより受信される、
項目５または６に記載の方法。
（項目８）
基準信号の受信方法であって、
第２デバイスが第１デバイスから第１制御情報を受信する段階であって、上記第１制御情報は、上記第１デバイスが基準信号を送信するのに用いられる第１リソースを示すために用いられる、受信する段階と、
上記第２デバイスが、上記第１リソースで、上記第１デバイスから上記基準信号を受信する段階と
を備える、方法。
（項目９）
上記第１リソースは、第１時間−周波数リソースを含み、上記第２デバイスが、上記第１リソースで上記第１デバイスから上記基準信号を受信する上記段階は、
上記第２デバイスが、上記第１時間−周波数リソースで、上記第１デバイスから上記基準信号を受信する段階を含む、または
上記第１リソースは第１時間領域リソースを含み、上記第２デバイスが、上記第１リソースで上記第１デバイスから上記基準信号を受信する上記段階は、
上記第２デバイスが、上記第１時間領域リソースおよび予め定義された周波数領域リソースを含む時間−周波数リソースで、上記第１デバイスから上記基準信号を受信する段階を含む、または
上記第１リソースは第１周波数領域リソースを含み、上記第２デバイスが、上記第１リソースで上記第１デバイスから上記基準信号を受信する上記段階は、
上記第２デバイスが、上記第１周波数領域リソースおよび予め定義された時間領域リソースを含む時間−周波数リソースで、上記第１デバイスから、上記基準信号を受信する段階を含む、
項目８に記載の方法。
（項目１０）
上記第１デバイスはアクセスネットワークデバイスを含み、上記第２デバイスは端末デバイスを含む、項目８または９に記載の方法。
（項目１１）
上記第１制御情報は、ダウンリンク制御情報に含まれる、
項目１０に記載の方法。
（項目１２）
上記第１デバイスは第１端末デバイスを含み、上記第２デバイスは第２端末デバイスを含む、項目８または９に記載の方法。
（項目１３）
上記第１制御情報は、サイドリンク制御情報に含まれる、
項目１２に記載の方法。
（項目１４）
上記第１制御情報は、アクセスネットワークデバイスから上記第１端末デバイスにより受信される、
項目１２または１３に記載の方法。
（項目１５）
第１デバイスであって、
第１制御情報を第２デバイスに送信するように構成されている送信ユニットであって、上記第１制御情報は、上記第１デバイスが基準信号を送信するのに用いられる第１リソースを示すために用いられる、送信ユニット
を備え、
上記送信ユニットはさらに、上記第１リソースで上記第２デバイスに上記基準信号を送信するように構成されている、第１デバイス。
（項目１６）
上記第１リソースは、第１時間−周波数リソースを含み、上記送信ユニットがさらに、上記第１リソースで上記第２デバイスに上記基準信号を送信するように構成されていることは、
上記送信ユニットが、上記第１時間−周波数リソースで上記第２デバイスに上記基準信号を送信することを含む、または
上記第１リソースは第１時間領域リソースを含み、上記送信ユニットがさらに、上記第１リソースで上記第２デバイスに上記基準信号を送信するように構成されていることは、
上記送信ユニットが、上記第１時間領域リソースおよび予め定義された周波数領域リソースを含む時間−周波数リソースで、上記第２デバイスに上記基準信号を送信することを含む、または
上記第１リソースは第１周波数領域リソースを含み、上記送信ユニットがさらに、上記第１リソースで上記第２デバイスに上記基準信号を送信するように構成されていることは、
上記送信ユニットが、上記第１周波数領域リソースおよび予め定義された時間領域リソースを含む時間−周波数リソースで、上記第２デバイスに上記基準信号を送信することを含む、
項目１５に記載の第１デバイス。
（項目１７）
上記第１デバイスはアクセスネットワークデバイスを含み、上記第２デバイスは端末デバイスを含む、項目１５または１６に記載の第１デバイス。
（項目１８）
上記第１制御情報は、ダウンリンク制御情報に含まれる、
項目１７に記載の第１デバイス。
（項目１９）
上記第１デバイスは第１端末デバイスを含み、上記第２デバイスは第２端末デバイスを含む、項目１５または１６に記載の第１デバイス。
（項目２０）
上記第１制御情報は、サイドリンク制御情報に含まれる、
項目１９に記載の第１デバイス。
（項目２１）
上記第１デバイスはさらに受信ユニットを備え、上記第１制御情報は、アクセスネットワークデバイスから上記受信ユニットにより受信される、項目１９または２０に記載の第１デバイス。
（項目２２）
第１制御情報を第１デバイスから受信するように構成されている受信ユニットであって、上記第１制御情報は、上記第１デバイスが基準信号を送信するのに用いられる第１リソースを示すために用いられる、受信ユニット
を備え、
上記受信ユニットはさらに、上記第１リソースで上記第１デバイスから上記基準信号を受信するように構成されている、第２デバイス。
（項目２３）
上記第１リソースは、第１時間−周波数リソースを含み、上記受信ユニットがさらに、上記第１リソースで上記第１デバイスから上記基準信号を受信するように構成されていることは、
上記受信ユニットが、上記第１時間−周波数リソースで、上記第１デバイスから上記基準信号を受信することを含む、または
上記第１リソースは第１時間領域リソースを含み、上記受信ユニットがさらに、上記第１リソースで上記第１デバイスから上記基準信号を受信するように構成されていることは、
上記受信ユニットが、上記第１時間領域リソースおよび予め定義された周波数領域リソースを含む時間−周波数リソースで、上記第１デバイスから上記基準信号を受信することを含む、または
上記第１リソースは第１周波数領域リソースを含み、上記受信ユニットがさらに、上記第１リソースで上記第１デバイスから上記基準信号を受信するように構成されていることは、
上記受信ユニットが、上記第１周波数領域リソースおよび予め定義された時間領域リソースを含む時間−周波数リソースで、上記第１デバイスから、上記基準信号を受信することを含む、
項目２２に記載の第２デバイス。
（項目２４）
上記第１デバイスはアクセスネットワークデバイスを含み、上記第２デバイスは端末デバイスを含む、項目２２または２３に記載の第２デバイス。
（項目２５）
上記第１制御情報は、ダウンリンク制御情報に含まれる、
項目２４に記載の第２デバイス。
（項目２６）
上記第１デバイスは第１端末デバイスを含み、上記第２デバイスは第２端末デバイスを含む、項目２２または２３に記載の第２デバイス。
（項目２７）
上記第１制御情報は、サイドリンク制御情報に含まれる、
項目２６に記載の第２デバイス。
（項目２８）
上記第１制御情報は、アクセスネットワークデバイスから上記第１端末デバイスにより受信される、
項目２６または２７に記載の第２デバイス。
（項目２９）
基準信号の送信方法であって、
端末デバイスが、アクセスネットワークデバイスから第１制御情報を受信する段階であって、上記第１制御情報は、上記端末デバイスが基準信号を送信するのに用いられる第１リソースを示すために用いられる、受信する段階と、
上記端末デバイスが、上記第１リソースで、上記基準信号を上記アクセスネットワークデバイスに送信する段階と
を備える、方法。
（項目３０）
上記第１リソースは、第１時間−周波数リソースを含み、上記端末デバイスが上記第１リソースで上記アクセスネットワークデバイスに上記基準信号を送信する上記段階は、
上記端末デバイスが、上記第１時間−周波数リソースで、上記アクセスネットワークデバイスに上記基準信号を送信する段階を含む、または
上記第１リソースは第１時間領域リソースを含み、上記端末デバイスが上記第１リソースで上記アクセスネットワークデバイスに上記基準信号を送信する上記段階は、
上記端末デバイスが、上記第１時間領域リソースおよび予め定義された周波数領域リソースを含む時間−周波数リソースで、上記アクセスネットワークデバイスに上記基準信号を送信する段階を含む、または
上記第１リソースは第１周波数領域リソースを含み、上記端末デバイスが、上記第１リソースで上記アクセスネットワークデバイスに上記基準信号を送信する上記段階は、
上記端末デバイスが、上記第１周波数領域リソースおよび予め定義された時間領域リソースを含む時間−周波数リソースで、上記アクセスネットワークデバイスに上記基準信号を送信する段階を含む、
項目２９に記載の方法。
（項目３１）
上記第１制御情報は、ダウンリンク制御情報に含まれる、
項目２９または３０に記載の方法。
（項目３２）
基準信号の受信方法であって、
アクセスネットワークデバイスが、端末デバイスに第１制御情報を送信する段階であって、上記第１制御情報は、上記端末デバイスが基準信号を送信するのに用いられる第１リソースを示すために用いられる、送信する段階と、
上記アクセスネットワークデバイスが、上記第１リソースで、上記基準信号を上記端末デバイスから受信する段階と
を備える、方法。
（項目３３）
上記第１リソースは、第１時間−周波数リソースを含み、上記アクセスネットワークデバイスが、上記第１リソースで上記端末デバイスから上記基準信号を受信する上記段階は、
上記アクセスネットワークデバイスが、上記第１時間−周波数リソースで、上記端末デバイスから上記基準信号を受信する段階を含む、または
上記第１リソースは第１時間領域リソースを含み、上記アクセスネットワークデバイスが、上記第１リソースで上記端末デバイスから上記基準信号を受信する上記段階は、
上記アクセスネットワークデバイスが、上記第１時間領域リソースおよび予め定義された周波数領域リソースを含む時間−周波数リソースで、上記端末デバイスから上記基準信号を受信する段階を含む、または
上記第１リソースは第１周波数領域リソースを含み、上記アクセスネットワークデバイスが、上記第１リソースで上記端末デバイスから上記基準信号を受信する上記段階は、
上記アクセスネットワークデバイスが、上記第１周波数領域リソースおよび予め定義された時間領域リソースを含む時間−周波数リソースで、上記端末デバイスから、上記基準信号を受信する段階を含む、
項目３２に記載の方法。
（項目３４）
上記第１制御情報は、ダウンリンク制御情報に含まれる、
項目３２または３３に記載の方法。
（項目３５）
端末デバイスであって、
第１制御情報をアクセスネットワークデバイスから受信するように構成されている受信ユニットであって、上記第１制御情報は、上記端末デバイスが基準信号を送信するのに用いられる第１リソースを示すために用いられる、受信ユニットと
上記第１リソースで上記アクセスネットワークデバイスに上記基準信号を送信するように構成されている、送信ユニットとを備える、端末デバイス。
（項目３６）
上記第１リソースは、第１時間−周波数リソースを含み、上記送信ユニットが、上記第１リソースで上記アクセスネットワークデバイスに上記基準信号を送信するように構成されていることは、
上記送信ユニットが、上記第１時間−周波数リソースで、上記アクセスネットワークデバイスに上記基準信号を送信することを含む、または
上記第１リソースは第１時間領域リソースを含み、上記送信ユニットが、上記第１リソースで上記アクセスネットワークデバイスに上記基準信号を送信するように構成されていることは、
上記送信ユニットが、上記第１時間領域リソースおよび予め定義された周波数領域リソースを含む時間−周波数リソースで、上記アクセスネットワークデバイスに上記基準信号を送信することを含む、または
上記第１リソースは第１周波数領域リソースを含み、上記送信ユニットが、上記第１リソースで上記アクセスネットワークデバイスに上記基準信号を送信するように構成されていることは、
上記送信ユニットが、上記第１周波数領域リソースおよび予め定義された時間領域リソースを含む時間−周波数リソースで、上記アクセスネットワークデバイスに上記基準信号を送信することを含む、
項目３５に記載の端末デバイス。
（項目３７）
上記第１制御情報は、ダウンリンク制御情報に含まれる、
項目３５または３６に記載の端末デバイス。
（項目３８）
第１制御情報を端末デバイスに送信するように構成されている送信ユニットであって、上記第１制御情報は、上記端末デバイスが基準信号を送信するのに用いられる第１リソースを示すために用いられる送信ユニットと、
上記第１リソースで上記端末デバイスから上記基準信号を受信するように構成されている受信ユニットと
を備える、アクセスネットワークデバイス。
（項目３９）
上記第１リソースは、第１時間−周波数リソースを含み、上記受信ユニットが、上記第１リソースで上記端末デバイスから上記基準信号を受信するように構成されていることは、
上記受信ユニットが、上記第１時間−周波数リソースで、上記端末デバイスから上記基準信号を受信することを含む、または
上記第１リソースは第１時間領域リソースを含み、上記受信ユニットが、上記第１リソースで上記端末デバイスから上記基準信号を受信するように構成されていることは、
上記受信ユニットが、上記第１時間領域リソースおよび予め定義された周波数領域リソースを含む時間−周波数リソースで、上記端末デバイスから上記基準信号を受信することを含む、または
上記第１リソースは第１周波数領域リソースを含み、上記受信ユニットが、上記第１リソースで上記端末デバイスから上記基準信号を受信するように構成されていることは、
上記受信ユニットが、上記第１周波数領域リソースおよび予め定義された時間領域リソースを含む時間−周波数リソースで、上記端末デバイスから、上記基準信号を受信することを含む、
項目３８に記載のアクセスネットワークデバイス。
（項目４０）
上記第１制御情報は、ダウンリンク制御情報に含まれる、
項目３８または３９に記載のアクセスネットワークデバイス。
【国際調査報告】
2020510333.tif 000017
2020510333.tif 000018
2020510333.tif 000019
2020510333.tif 000020